(57)【要約】【課題】補助具を容易に取り外すことができる道路用保安標識を提供する。【解決手段】ロードコーン１０は、コーン本体１１と補助具１３とを備える。補助具１３は、第１補助部材２１と第２補助部材２２とを備える。コーン本体１１に蓄光シート１２を被せた後、第１補助部材２１の第１本体部２１ａを、コーン本体１１の貫通孔に挿入する。第１本体部２１ａのフック部２１ｄは、フランジ部１１ａの内周面１１ａ１に当接して内側方向に変形した後、弾性変形により外側方向に変形されて、係合部１１ｂに係合され、第１補助部材２１がコーン本体１１に取り付けられる。第２補助部材２２の内筒部２２ｂを第１補助部材２１の貫通孔に挿入する。第１補助部材２１の係合凸部２１ｅは、係合孔２２ｃに挿入され、第２補助部材２２は、蓄光シート１２をコーン本体１１との間で挟持した状態で第１補助部材２１及びコーン本体１１に取り付けられる。【選択図】図５
2020183619.tif 000002
【特許請求の範囲】
【請求項１】
筒状の本体部と、
前記本体部の先端部に着脱可能に取り付けられる補助具と、
を備え、
前記本体部と前記補助具との一方には、複数のフック部が設けられ、
前記本体部と前記補助具との他方には、前記複数のフック部が係合することで前記補助具を前記本体部に取り付ける係合部と、前記補助具を前記本体部に取り付ける際に、前記複数のフック部に当接して前記複数のフック部を弾性変形させた後に、前記係合部に至った際に元の形状に復元させるように前記係合部まで案内する案内部と、が設けられていることを特徴とする道路用保安標識。
【請求項２】
請求項１に記載の道路用保安標識において、
前記補助具は、
前記本体部に着脱可能に取り付けられる第１補助部材と、
前記第１補助部材を覆うように前記第１補助部材に着脱可能に取り付けられる第２補助部材と、
を備えることを特徴とする道路用保安標識。
【請求項３】
請求項２に記載の道路用保安標識において、
前記第２補助部材は、前記第１補助部材よりも柔軟性が高い素材により形成されていることを特徴とする道路用保安標識。
【請求項４】
請求項２又は３に記載の道路用保安標識において、
前記第２補助部材の外周面には、凹凸部が形成されていることを特徴とする道路用保安標識。
【請求項５】
請求項１〜４のいずれか１項に記載の道路用保安標識において、
前記本体部と前記補助具との一方には、前記補助具の周方向を位置決めする位置決め凸部が形成され、他方には前記位置決め凸部が挿入される位置決め凹部が形成されていることを特徴とする道路用保安標識。
【請求項６】
請求項１〜５のいずれか１項に記載の道路用保安標識において、
前記補助具には、照射装置の軸部が挿入される挿入孔が形成されていることを特徴とする道路用保安標識。
【発明の詳細な説明】
【技術分野】
【０００１】
本発明は、現場区域の境界等に設置される道路用保安標識に関する。
【背景技術】
【０００２】
従来から、工事現場、事故処理現場、事故検証現場などの現場区域内に車両が侵入しないように、現場区域に沿ってロードコーンなどの道路用保安標識を設置している。このように道路用保安標識などで現場区域の境界に設置することにより、車両が現場区域に侵入しないように促し、工事作業員、事故処理員、事故検証員、警備員などの現場員の安全を図っている。
【０００３】
特許文献１に記載のロードコーン（道路用保安標識）では、道路用保安標識の内部にＬＥＤ装置を収容している。また、近年では、道路用保安標識の先端部に補助具を取り付け、この補助具にＬＥＤ装置を取り付けている。
【先行技術文献】
【特許文献】
【０００４】
【特許文献１】特開２０１８−１４１３６２号公報
【発明の概要】
【発明が解決しようとする課題】
【０００５】
しかしながら、道路用保安標識の先端部に補助具を取り付けるものでは、補助具を圧入により取り付けているため、補助具を取り外すことが難しく、製造会社で専用の治具を用いて取り外す必要があり、手間と費用がかかっていた。
【０００６】
本発明は、このような事情に鑑みてなされたものであり、補助具を容易に取り外すことができる道路用保安標識を提供することを目的とする。
【課題を解決するための手段】
【０００７】
本発明の道路用保安標識は、筒状の本体部と、前記本体部の先端部に着脱可能に取り付けられる補助具と、を備え、前記本体部と前記補助具との一方には、複数のフック部が設けられ、前記本体部と前記補助具との他方には、前記複数のフック部が係合することで前記補助具を前記本体部に取り付ける係合部と、前記補助具を前記本体部に取り付ける際に、前記複数のフック部に当接して前記フック部を第１方向に変形させた後に、当接を解除又は当接を維持したまま、前記複数のフック部を弾性変形により元の形状に向けて前記第１方向とは逆向きの第２方向に変形させる当接部と、が設けられ、前記第１方向に変形した後に前記第２方向に変形した前記複数のフック部が前記係合部に係合することを特徴とする。
【０００８】
本発明によれば、複数のフック部を変形させるだけで容易に補助具を取り外すことができる。
【０００９】
また、前記補助具は、前記本体部に着脱可能に取り付けられる第１補助部材と、前記第１補助部材を覆うように前記第１補助部材に着脱可能に取り付けられ、第２補助部材と、を備えることが好ましい。
【００１０】
この構成によれば、第２補助部材と本体部との間に、蓄光性等の機能を有するシートを挟持することができ、夜間でも道路用保安標識を認識しやすくすることができる。また、補助具を取り外すだけで、容易にシートを交換することができる。さらに、補助具として複雑な構造にすることができ、意匠性を向上することができる。
【００１１】
さらに、前記第２補助部材は、前記第１補助部材よりも柔軟性が高い素材により形成されていることが好ましい。
【００１２】
この構成によれば、道路用保安標識を運ぶために第２補助部材を手で持った場合に持ちやすくなる。また、第２補助部材によりシートを挟持するものでは、挟持する際の密着性を高めることができ、シートが回転するのを抑制することができる。さらに、第２補助部材を第１補助部材に着脱可能に取り付けるための構造として、柔軟性を活用することができる。
【００１３】
また、前記第２補助部材の外周面には、凹凸部が形成されていることが好ましい。
【００１４】
この構成によれば、凹凸部は、道路用保安標識を運ぶために第２補助部材を手で持った場合に滑り止めとなる。
【００１５】
さらに、前記本体部と前記補助具との一方には、前記補助具の周方向を位置決めする位置決め凸部が形成され、他方には前記位置決め凸部が挿入される位置決め凹部が形成されていることが好ましい。
【００１６】
この構成によれば、補助具の周方向の位置決め及び回転防止を行うことができる。
【００１７】
また、前記補助具には、照射装置の軸部が挿入される挿入孔が形成されていることが好ましい。
【００１８】
この構成によれば、補助具に照射装置を取り付けることができる。
【図面の簡単な説明】
【００１９】
【図１】本発明の一実施形態に係るロードコーンを示す側面図である。
【図２】コーン本体と第１補助部材と第２補助部材とＬＥＤ装置とを示す分解斜視図である。
【図３】コーン本体と蓄光シートと第１補助部材と第２補助部材とを示す図２のＩＩＩ−ＩＩＩ断面図である。
【図４】コーン本体と蓄光シートと第１補助部材と第２補助部材とを示す図２のＩＩＩ−ＩＩＩ断面図である。
【図５】コーン本体と蓄光シートと第１補助部材と第２補助部材とを示す図２のＩＩＩ−ＩＩＩ断面図である。
【発明を実施するための形態】
【００２０】
以下、図面を参照しながら、本発明の一実施形態に係るロードコーン１０（道路用保安標識）について説明する。
【００２１】
図１及び図２に示すように、ロードコーン１０は、ポリ塩化ビニル、ＡＢＳなどの合成樹脂から成型され、中空の円錐形状に基底部を備えたコーン本体１１を備える。ロードコーン１０は、注意を喚起するために、赤色、橙色、黄色などの目立ち易い色、さらに、視認性を高めるために、赤色地に白、黒地に黄色の縞模様としたものなどからなっている。
【００２２】
ロードコーン１０は、照射された光を蓄積する蓄光シート１２をコーン本体１１に取り付ける補助具１３を備える。
【００２３】
コーン本体１１の上端内周部には、径方向内側に突出したフランジ部１１ａが形成されている。このフランジ部１１ａの内周面１１ａ１は、コーン本体１１の軸線を中心とした円周を軸線方向に延ばした面であり、全周に亘って形成されている。フランジ部１１ａの内周面１１ａ１は、後述するフック部２１ｄを弾性変形させた後に係合部１１ｂに至った際に元の形状に復元させるように係合部１１ｂまで案内する案内部を構成する。
【００２４】
フランジ部１１ａの下端面は、係合部１１ｂ（図３参照）となる。また、フランジ部１１ａには、径方向内側に突出した位置決め凸部１１ｃが複数（例えば、１８０°ピッチで２個）形成されている。
【００２５】
蓄光シート１２は、上端から下端に向けて径方向外側に傾斜した円錐筒状に形成されている。
【００２６】
補助具１３は、樹脂製の第１補助部材２１と、第１補助部材２１よりも柔軟性が高い例えばゴム製の第２補助部材２２とを備える。第１補助部材２１は、円筒状の第１本体部２１ａと、第１本体部２１ａの上部に形成され、径方向外側に突出したフランジ部２１ｂと、を備える。
【００２７】
第１本体部２１ａには、第１補助部材２１をコーン本体１１に取り付けるときに、コーン本体１１の位置決め凸部１１ｃが挿入される位置決め凹部２１ｃが、位置決め凸部１１ｃに対応して２個形成されている。
【００２８】
第１本体部２１ａの下端部には、径方向外側に突出し、第１補助部材２１をコーン本体１１に取り付けるときに、コーン本体１１の係合部１１ｂに係合するフック部２１ｄが形成されている。フック部２１ｄは、弾性変形可能に設けられ、複数（例えば、１２０°ピッチで３個）形成されている。
【００２９】
フランジ部２１ｂには、径方向外側に突出し、後述する第２補助部材２２の係合孔２２ｃに係合する係合凸部２１ｅが複数（例えば、１２０°ピッチで３個）形成されている。本実施形態では、係合凸部２１ｅは、フック部１３ｄの真上に形成されている。また、フランジ部２１ｂには、詳しくは後述する軸部３２の位置決め凸部３２ａ及び抜去防止凸部３２ｂが挿入される位置決め凹部２１ｆが形成されている。
【００３０】
第２補助部材２２は、円筒状の第２本体部２２ａと、第２本体部２２ａの内側に立設された筒状の内筒部２２ｂと、を備える。第２本体部２２ａの外周面には、凹凸部（図示せず）が形成されている。この凹凸部は、ロードコーン１０を運ぶために第２本体部２２ａを手で持った場合に滑り止めとなる。
【００３１】
また、内筒部２２ｂの内周面には、径方向に凹状となる凹部２２が、周方向に所定のピッチで複数形成されている。これにより、内筒部２２ｂの肉厚を薄くすることができ、さらに、内筒部２２ｂの内周面と、詳しくは後述するＬＥＤ装置３０の軸部３２との接触面積を減らし、摩擦抵抗を低くすることができる。
【００３２】
第２本体部２２には、第２補助部材２２を第１補助部材２１に取り付けるときに、第１補助部材２１の係合凸部２１ｅが挿入される係合孔２２ｃが、係合凸部２１ｅに対応して３個形成されている。
【００３３】
第２本体部２２ａの貫通孔２２ｄには、後述するＬＥＤ装置３０の軸部３２が挿入される。第２本体部２２ａには、貫通孔２２ｄに連続して、軸部３２の位置決め凸部３２ａ及び抜去防止凸部３２ｂが挿入される位置決め凹部２２ｅが形成されている。
【００３４】
ロードコーン１０には、ＬＥＤ装置３０が取り付けられる。照射装置としてのＬＥＤ装置３０は、透明樹脂製の装置本体部３１と、筒状の軸部３２と、を備える。装置本体部３１の内部には、複数（例えば、９０°ピッチで４個）のＬＥＤ３３が配置されている。装置本体部３１の上部には、ＬＥＤ装置３０に電力を供給する周知のソーラーパネル３５が配置されている。例えば、軸部３２の内部に設けられた電源スイッチをオンすると、ソーラーパネル３５からの電力によりＬＥＤ３３が所定の発光パターンで発光制御される。
【００３５】
軸部３２には、径方向外側に突出し、軸部３２を第２本体部２２ａの貫通孔２２ｄに挿入したときに、第２本体部２２ａの位置決め凹部２２ｅに挿入される位置決め凸部３２ａ及び抜去防止凸部３２ｂが形成されている。位置決め凸部３２ａは、軸部３２の上部に形成され、抜去防止凸部３２ｂは軸部３２の下部で、位置決め凸部３２ａから例えば１８０°離れた位置に形成されている。
【００３６】
［蓄光シート取付］
ロードコーン１０のコーン本体１１に、蓄光シート１２を取り付ける場合、図３に示すように、コーン本体１１の外側に筒状の蓄光シート１２を被せる。本実施形態では、円錐筒状の蓄光シート１２を、円錐筒状のコーン本体１１に被せると、蓄光シート１２の上面とコーン本体１１の上面とがほぼ一致するようにされている。なお、蓄光シート１２をコーン本体１１に被せたときに、蓄光シート１２の上面がコーン本体１１の上面より突出し、蓄光シート１２をコーン本体１１の上面に載せるようにしてもよい。
【００３７】
次に、図４に示すように、コーン本体１１に補助具１３の第１補助部材２１を取り付ける。この取り付け工程では、コーン本体１１の位置決め凸部１１ｃを、第１補助部材２１の位置決め凹部２１ｃに挿入するように、第１補助部材２１の第１本体部２１ａを、コーン本体１１の貫通孔に挿入する。
【００３８】
この挿入により、第１本体部２１ａのフック部２１ｄが、フランジ部１１ａの内周面１１ａ１に当接して径方向内側に弾性変形する。そして、フック部２１ｄは、フランジ部１１ａの内周面１１ａ１に沿って案内されて係合部１１ｂまで挿入されると、弾性変形により径方向外側に変形され元の形状に復元する。これにより、フック部２１ｄが係合部１１ｂに係合されて、第１補助部材２１がコーン本体１１に取り付けられる。
【００３９】
また、コーン本体１１の位置決め凸部１１ｃ（図２参照）が、第１補助部材２１の位置決め凹部２１ｃ（図２参照）に挿入されるので、第１補助部材２１は、コーン本体１１に対して位置決めされ、且つ、回転が規制された状態で取り付けられる。
【００４０】
そして、図５に示すように、コーン本体１１に補助具１３の第２補助部材２２を取り付ける。この取り付け工程では、第２補助部材２２の第２本体部２２ａを第１補助部材２１に被せるように、第２補助部材２２の内筒部２２ｂを第１補助部材２１の貫通孔に挿入する。
【００４１】
この挿入により、第１補助部材２１の係合凸部２１ｅが、第２本体部２２ａの内周面に当接する。第２補助部材２２は、ゴム製であり、第１補助部材２１よりも柔軟性が高いので、係合凸部２１ｅの形状に沿って変形され、係合凸部２１ｅが係合孔２２ｃに挿入される。これにより、第２補助部材２２は、蓄光シート１２をコーン本体１１との間で挟持した状態で第１補助部材２１及びコーン本体１１に取り付けられる。なお、フランジ部２１ｂの係合凸部２１ｅが形成されていない部分は、第２本体部２２ａの内周面と僅かに隙間がある。
【００４２】
第２補助部材２２が第１補助部材２１及びコーン本体１１に取り付けられた状態では、第１補助部材２１の位置決め凹部２１ｆと、第２本体部２２ａの位置決め凹部２２ｅとが連続する。
【００４３】
ＬＥＤ装置３０の軸部３２の抜去防止凸部３２ｂ（図２参照）を、第１補助部材２１の位置決め凹部２１ｆ及び第２本体部２２ａの位置決め凹部２２ｅ（図２参照）に挿入するように、軸部３２を第２本体部２２ａの貫通孔２２ｄに挿入する。
【００４４】
次に、抜去防止凸部３２ｂが位置決め凹部２１ｆ及び位置決め凹部２２ｅを通過するまで軸部３２を貫通孔２２ｄに挿入した後、ＬＥＤ装置３０を１８０°回転（自転）させる。この回転により、抜去防止凸部３２ｂが位置決め凹部２１ｆ及び位置決め凹部２２ｅから抜けなくなり、ＬＥＤ装置３０が抜去不能にロードコーン１０に取り付けられる。さらに、上記回転により、軸部３２の位置決め凸部３２ａが位置決め凹部２１ｆ及び位置決め凹部２２ｅの真上に位置される。
【００４５】
そして、軸部３２の位置決め凸部３２ａを位置決め凹部２１ｆ及び位置決め凹部２２ｅに挿入すると、装置本体部３１の下面が第２本体部２２ａの上面に当接して、ＬＥＤ装置３０の上下方向が位置決めされる。これにより、ＬＥＤ装置３０は、ロードコーン１０に対して位置決めされ、且つ、回転が規制された状態で取り付けられる（図１参照）。
【００４６】
［蓄光シートの交換］
ロードコーン１０は、屋外で使用されるものであり、蓄光シート１２が経年劣化し、所定期間で交換する必要がある。
【００４７】
蓄光シート１２を交換する場合、先ず、ＬＥＤ装置３０をロードコーン１０から取り外した後、第２補助部材２２を第１補助部材２１から取り外す。この取り外し工程では、ゴム製の第２補助部材２２を変形させることで、係合凸部２１ｅを係合孔２２ｃから取り外す。これにより、第２補助部材２２を第１補助部材２１から取り外すことができる。
【００４８】
次に、第１補助部材２１をコーン本体１１から取り外す。この取り外し工程では、第１補助部材２１を上方向に移動させる。これにより、第１本体部２１ａのフック部２１ｄが、係合部１１ｂに当接して径方向内側に変形し、第１補助部材２１をコーン本体１１から取り外すことができる。
【００４９】
第１補助部材２１及び第２補助部材２２をコーン本体１１から取り外した後、蓄光シート１２をコーン本体１１から取り外す。そして、新たな蓄光シート１２をコーン本体１１に取り付けた後、上記したように、第１補助部材２１及び第２補助部材２２をコーン本体１１に取り付ける。
【００５０】
このように、第１補助部材２１及び第２補助部材２２をコーン本体１１から容易に取り外すことができるので、例えば、蓄光シート１２の交換を、ロードコーン１０が設置された工事現場で行うことができる。
【００５１】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００５２】
例えば、第１補助部材２１と第２補助部材２２とを一体化させて１個の部材から構成するようにしてもよい。
【００５３】
上記実施形態では、第１補助部材２１にフック部２１ｄを形成し、コーン本体１１に係合部１１ｂを形成しているが、第１補助部材２１に係合部を形成し、コーン本体１１にフック部を形成するようにしてもよい。
【００５４】
また、上記実施形態では、フック部２１ｄを径方向外側に弾性変形させた後、弾性変形により変形させて元の形状に復元させ、係合部１１ｂと係合させているが、フック部２１ｄを少し径方向外側に変形させたまま、係合部１１ｂと係合させるようにしてもよい。
【００５５】
さらに上記実施形態では、蓄光シート１２を挟持しているが、高輝度シートや防音シート等を挟持するようにしてもよく、さらに、シートを挟持しないようにしてもよい。また、補助具３自体を、蓄光性を有する素材から構成するようにしてもよい。
【００５６】
また、上記実施形態では、第２補助部材２２を、ＬＥＤ装置３０を保持する構造としているが、ＬＥＤ装置３０は保持しなくてもよい。
【符号の説明】
【００５７】
１０…ロードコーン（道路用保安標識）、１１…コーン本体（本体部）、１１ａ…フランジ部、１１ａ１…内周面（案内部）、１１ｂ…係合部、１１ｃ…位置決め凸部（位置決め凸部）、１２…蓄光シート、１３…補助具、２１…第１補助部材、２１ｃ…位置決め凹部（位置決め凹部）、２１ｄ…フック部、２２…第２補助部材、２２ｄ…貫通孔（挿入孔）、３０…ＬＥＤ装置（照射装置）、３２…軸部
【図１】
2020183619.tif 000003
【図２】
2020183619.tif 000004
【図３】
2020183619.tif 000005
【図４】
2020183619.tif 000006
【図５】
2020183619.tif 000007